(57)【要約】      （修正有）【課題】ＲＰＡ（Ｒｏｂｏｔｉｃ  Ｐｒｏｃｅｓｓ  Ａｕｔｏｍａｔｉｏｎ）を用いてＥＲＰパッケージの導入作業を自動化するシステムを提供する。【解決手段】システムは、サーバ装置１００と、クライアント装置１１０と、を含み、サーバ装置は、自動化制御部を有し、自動化制御部は、Ｗｅｂ画面を生成し、クライアント装置の表示部に表示し、Ｗｅｂ画面を介して入力された内容に基づき設定データを出力し、設定データに基づき、ＲＰＡを用いてＥＲＰ（Ｅｎｔｅｒｐｒｉｓｅ  Ｒｅｓｏｕｒｃｅ  Ｐｌａｎｎｉｇ）パッケージの導入作業を自動化する。【選択図】図１
0003226590.tif 000002
【実用新案登録請求の範囲】
【請求項１】
システムであって、
自動化制御部を有し、
前記自動化制御部は、ＲＰＡ（Ｒｏｂｏｔｉｃ  Ｐｒｏｃｅｓｓ  Ａｕｔｏｍａｔｉｏｎ）を用いてＥＲＰ（Ｅｎｔｅｒｐｒｉｓｅ  Ｒｅｓｏｕｒｃｅ  Ｐｌａｎｎｉｇ）パッケージの導入作業を自動化する、
システム。
【請求項２】
請求項１に記載のシステムであって、
前記ＥＲＰパッケージは、ＳＡＰ（登録商標）のＥＲＰパッケージである、
システム。
【請求項３】
システムであって、
自動化制御部を有し、
前記自動化制御部は、ＲＰＡを用いてクラウド型統合人事システムの導入作業を自動化する、
システム。
【請求項４】
請求項３に記載のシステムであって、
前記クラウド型統合人事システムは、ＳＡＰＳｕｃｃｅｓｓＦａｃｔｏｒｓである、
システム。
【請求項５】
情報処理装置であって、
自動化制御部を有し、
前記自動化制御部は、ＲＰＡを用いてＥＲＰパッケージの導入作業を自動化する、
情報処理装置。
【考案の詳細な説明】
【技術分野】
【０００１】
本考案は、システム及び情報処理装置に関する。
【背景技術】
【０００２】
ＥＲＰ（Ｅｎｔｅｒｐｒｉｓｅ  Ｒｅｓｏｕｒｃｅ  Ｐｌａｎｎｉｇ）パッケージが企業等において導入されている。特許文献１には、ＥＲＰパッケージを導入したシステムにおけるユーザ情報の管理を自動化する技術が開示されている。
【先行技術文献】
【特許文献】
【０００３】
【特許文献１】特開２００８−２１７７４０号公報
【考案の概要】
【考案が解決しようとする課題】
【０００４】
ＥＲＰパッケージを企業に導入する際には、その企業における業務の進め方、既にその企業に導入されているシステム等と連携するため、カスタマイズが必要になるが、特許文献１の技術では、ＥＲＰパッケージの導入は自動化されておらず、導入に際しての人手によるカスタマイズが必要であった。
【０００５】
本考案は、かかる事情を鑑みてなされたものであり、ＲＰＡ（Ｒｏｂｏｔｉｃ  Ｐｒｏｃｅｓｓ  Ａｕｔｏｍａｔｉｏｎ）を用いてＥＲＰパッケージの導入作業を自動化する技術を提供することを目的とする。
【課題を解決するための手段】
【０００６】
本考案の一態様によれば、システムであって、自動化制御部を有し、前記自動化制御部は、ＲＰＡ（ＲｏｂｏｔｉｃＰｒｏｃｅｓｓＡｕｔｏｍａｔｉｏｎ）を用いてＥＲＰ（ＥｎｔｅｒｐｒｉｓｅＲｅｓｏｕｒｃｅＰｌａｎｎｉｇ）パッケージの導入作業を自動化する、システムが提供される。
【考案の効果】
【０００７】
本考案の一つによれば、ＲＰＡを用いてＥＲＰパッケージの導入作業を自動化する技術を提供することができるという有利な効果を奏する。
【図面の簡単な説明】
【０００８】
【図１】図１は、情報処理システムのシステム構成の一例を示す図である。
【図２】図２は、サーバ装置のハードウェア構成の一例を示す図である。
【図３】図３は、サーバ装置の機能構成の一例を示す図である。
【考案を実施するための形態】
【０００９】
以下、図面を用いて本考案の実施形態について説明する。以下に示す実施形態中で示した各種特徴事項は、互いに組み合わせ可能である。
【００１０】
本明細書において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、０又は１で構成される２進数のビット集合体として信号値の高低によって表され、広義の回路上で通信・演算が実行されうる。
【００１１】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１２】
＜実施形態１＞
１．システム構成
図１は、情報処理システム１０００のシステム構成の一例を示す図である。図１に示されるように、情報処理システム１０００は、サーバ装置１００と、クライアント装置１１０と、ＳＡＰ（登録商標）サーバ装置１２０と、を含む。サーバ装置１００と、クライアント装置１１０と、ＳＡＰサーバ装置１２０と、はネットワーク１３０を介して通信可能に接続されている。
サーバ装置１００は、ＳＡＰサーバ装置１２０が提供するＳＡＰのＥＲＰパッケージを、クライアント装置１１０で利用する際に、ＲＰＡを用いて、導入作業を自動化する。
クライアント装置１１０は、ＥＲＰパッケージを導入する、ユーザのＰＣ（Ｐｅｒｓｏｎａｌ  Ｃｏｍｐｕｔｅｒ）であってもよいし、サーバ装置、又はシステムであってもよい。
ＳＡＰサーバ装置１２０は、ＥＲＰパッケージを提供するサーバ装置である。ＳＡＰサーバ装置１２０は、単体の装置であってもよいし、複数の装置で構成される、クラウドであってもよい。なお、以下では説明の簡略化のため、特に言及しない限り、ＳＡＰサーバ装置１２０は、単体の装置であるとして説明を行う。
【００１３】
２．ハードウェア構成
図２は、サーバ装置１００のハードウェア構成の一例を示す図である。図２に示されるように、サーバ装置１００は、ハードウェア構成として、制御部２０１と、記憶部２０２と、通信部２０３と、を含む。制御部２０１は、サーバ装置１００の全体を制御する。記憶部２０２は、プログラム、及び、制御部２０１が記憶部２０２に記憶されているプログラムに基づき処理を実行する際に用いるデータ等を記憶する。制御部２０１が、記憶部２０２に記憶されているプログラムに基づき、処理を実行することによって、後述する図３に示すサーバ装置１００の機能構成等が実現される。通信部２０３は、サーバ装置１００をネットワーク１３０に接続し、他の装置、例えば、クライアント装置１１０、ＳＡＰサーバ装置１２０等との通信を司る。
【００１４】
クライアント装置１１０及びＳＡＰサーバ装置１２０のハードウェア構成もサーバ装置１００のハードウェア構成と同様である。クライアント装置１１０の制御部が、クライアント装置１１０の記憶部に記憶されているプログラムに基づき処理を実行することによって、クライアント装置１１０の機能が実現される。同様に、ＳＡＰサーバ装置１２０の制御部が、ＳＡＰサーバ装置１２０の記憶部に記憶されているプログラムに基づき処理を実行することによって、ＳＡＰサーバ装置１２０の機能が実現される。
【００１５】
３．機能構成
図３は、サーバ装置１００の機能構成の一例を示す図である。図３に示されるように、サーバ装置１００は、機能構成として、自動化制御部３０１を含む。自動化制御部３０１は、ＲＰＡを用いてＳＡＰのＥＲＰパッケージの導入作業を自動化する。より具体的に説明すると、自動化制御部３０１は、就業規則、給与規定、組織規定等に関する質問を入力するＷｅｂ画面を生成し、クライアント装置１１０の表示部に表示する。ユーザは、クライアント装置１１０の表示部に表示された画面の質問に対して、入力部等を用いて回答を入力する。すると、自動化制御部３０１は、入力された内容に基づき、設定データを出力する。自動化制御部３０１は、設定データに基づき、ＲＰＡを用いて、自動でＳＡＰサーバ装置１２０が提供するＳＡＰのＥＲＰパッケージに対してパラメータ設定を実行する。このことにより、ＳＡＰサーバ装置１２０が提供するＳＡＰのＥＲＰパッケージがクライアント装置１１０に対して導入される。そして、自動化制御部３０１は、クライアント装置１１０におけるシステムの動作検証を自動で実行する。
【００１６】
４．実施形態１の効果
実施形態１によれば、ＲＰＡを用いてＥＲＰパッケージの導入作業を自動化する技術を提供することができる。
【００１７】
＜変形例１＞
変形例１を説明する。実施形態１では、１台のサーバ装置が自動化制御部３０１を有し、自動化制御部３０１の機能を提供した。しかし、複数の装置で構成されるシステムが、自動化制御部３０１の機能を提供してもよい。即ち、複数の装置の制御部が、複数の装置、又は一の装置の記憶部に記憶されたプログラムに基づき処理を実行することによって、自動化制御部３０１の機能を提供するようにしてもよい。
例えば、実施形態１では、サーバ装置１００が、Ｗｅｂ画面を生成すると共に、ＲＰＡを用いて、ＥＲＰパッケージに対してパラメータを設定する処理等を行う例を説明しているが、Ｗｅｂ画面を生成し、提供するサーバと、ＲＰＡを用いて、ＥＲＰパッケージに対してパラメータを設定する処理等を行うサーバとを異なる装置としてもよい。
また、サーバ装置１００の機能を、ＳＡＰサーバ装置１２０に設けてもよいし、クライアント装置１１０に設けてもよい。
【００１８】
＜変形例２＞
変形例２を説明する。変形例２のサーバ装置１００は、ＳＡＰサーバ装置１２０が提供する統合人事システムを導入する際に、ＲＰＡを用いて、導入作業を自動化する。
変形例２のクライアント装置１１０は、統合人事システムを導入する、ユーザのＰＣであってもよいし、サーバ装置、又はシステムであってもよい。
変形例２のＳＡＰサーバ装置１２０は、統合人事システムを提供するサーバ装置である。ＳＡＰサーバ装置１２０は、単体の装置であってもよいし、複数の装置で構成される、クラウドであってもよい。ＳＡＰサーバ装置１２０がクラウドの場合、提供する統合人事システムは、クラウド型統合人事システムであり、より具体的には、ＳＡＰＳｕｃｃｅｓｓＦａｃｔｏｒｓである。
変形例２の自動化制御部３０１は、ＲＰＡを用いて、例えば、クラウド型統合人事システムの導入作業を自動化する。
変形例２によれば、ＲＰＡを用いて、クラウド型統合人事システムの導入作業を自動化することができる。
【００１９】
（付記）
本考案は、次に記載の各態様で提供されてもよい。
前記システムであって、前記ＥＲＰパッケージは、ＳＡＰ（登録商標）のＥＲＰパッケージである、システム。
システムであって、自動化制御部を有し、前記自動化制御部は、ＲＰＡを用いてクラウド型統合人事システムの導入作業を自動化する、システム。
前記システムであって、前記クラウド型統合人事システムは、ＳＡＰＳｕｃｃｅｓｓＦａｃｔｏｒｓである、システム。
情報処理装置であって、自動化制御部を有し、前記自動化制御部は、ＲＰＡを用いてＥＲＰパッケージの導入作業を自動化する、情報処理装置。
もちろん、この限りではない。
【００２０】
例えば、上述のプログラムを記憶する、コンピュータ読み取り可能な非一時的な記憶媒体として提供してもよい。
また、上述した実施形態及び変形例を任意に組み合わせて実施するようにしてもよい。
【００２１】
最後に、本考案に係る種々の実施形態を説明したが、これらは、例として提示したものであり、考案の範囲を限定することは意図していない。新規な実施形態は、その他の様々な形態で実施されることが可能であり、考案の要旨を逸脱しない範囲で、種々の省略、置き換え、変更を行うことができる。実施形態やその変形は、考案の範囲や要旨に含まれると共に、特許請求の範囲に記載された考案とその均等の範囲に含まれるものである。
【符号の説明】
【００２２】
１００    ：サーバ装置
１１０    ：クライアント装置
１２０    ：ＳＡＰサーバ装置
１３０    ：ネットワーク
２０１    ：制御部
２０２    ：記憶部
２０３    ：通信部
３０１    ：自動化制御部
１０００  ：情報処理システム
【図１】
0003226590.tif 000003
【図２】
0003226590.tif 000004
【図３】
0003226590.tif 000005
【手続補正書】
【提出日】令和2年4月9日(2020.4.9)
【手続補正１】
【補正対象書類名】実用新案登録請求の範囲
【補正対象項目名】全文
【補正方法】変更
【補正の内容】
【実用新案登録請求の範囲】
【請求項１】
システムであって、
サーバ装置と、クライアント装置と、を含み、
前記サーバ装置は、
自動化制御部を有し、
前記自動化制御部は、Ｗｅｂ画面を生成し、前記クライアント装置の表示部に表示し、前記Ｗｅｂ画面を介して入力された内容に基づき設定データを出力し、前記設定データに基づき、ＲＰＡ（Ｒｏｂｏｔｉｃ  Ｐｒｏｃｅｓｓ  Ａｕｔｏｍａｔｉｏｎ）を用いてＥＲＰ（Ｅｎｔｅｒｐｒｉｓｅ  Ｒｅｓｏｕｒｃｅ  Ｐｌａｎｎｉｇ）パッケージの導入作業を自動化する、
システム。
【請求項２】
請求項１に記載のシステムであって、
前記ＥＲＰパッケージは、ＳＡＰ（登録商標）のＥＲＰパッケージである、
システム。
【請求項３】
システムであって、
サーバ装置と、クライアント装置と、を含み、
前記サーバ装置は、
自動化制御部を有し、
前記自動化制御部は、Ｗｅｂ画面を生成し、前記クライアント装置の表示部に表示し、前記Ｗｅｂ画面を介して入力された内容に基づき設定データを出力し、前記設定データに基づき、ＲＰＡを用いてクラウド型統合人事システムの導入作業を自動化する、
システム。
【請求項４】
請求項３に記載のシステムであって、
前記クラウド型統合人事システムは、ＳＡＰＳｕｃｃｅｓｓＦａｃｔｏｒｓ（登録商標）である、
システム。